(57)【要約】  【課題】緊急時に非常停止スイッチの操作により電磁開閉弁を閉状態として加熱装置へのガス供給を遮断したとき、リセットスイッチを操作するまでは電磁開閉弁の閉状態を保持することで安全性を一層向上させる道路舗装機械のガス安全装置を提供することを目的とする。  【解決手段】本発明は上記目的を達成するために、非常停止スイッチ２ａ，２ｂ，２ｃの非操作時には電磁開閉弁４におけるソレノイドSOLへの通電状態を保持して該電磁開閉弁４を開状態とするように作動し、非常停止スイッチ２ａ，２ｂ，２ｃの操作時には電磁開閉弁４におけるソレノイドSOLへの通電を解除して該電磁開閉弁４を閉状態に転じさせ、リセットスイッチ１０を操作するまで該閉状態を保持する自己保持回路９を設けた道路舗装機械のガス安全装置を提供するものである。【選択図】図１
2010121397.tif 000002
【特許請求の範囲】
【請求項１】
スクリードプレートを加熱するガス式の加熱装置を備え、該加熱装置へガスを供給するガス配管中に電磁開閉弁を設けるとともに緊急時に非常停止スイッチの操作により前記電磁開閉弁を閉じて前記加熱装置へのガス供給を遮断するようにした道路舗装機械のガス安全装置において、
前記非常停止スイッチの非操作時には前記電磁開閉弁におけるソレノイドへの通電状態を保持して該電磁開閉弁を開状態とするように作動し、前記非常停止スイッチの操作時には前記電磁開閉弁におけるソレノイドへの通電を解除して該電磁開閉弁を閉状態に転じさせ、リセットスイッチを操作するまで該閉状態を保持する自己保持回路を設けたことを特徴とする道路舗装機械のガス安全装置。
【請求項２】
上記自己保持回路は、上記非常停止スイッチの非操作時に上記リセットスイッチのオン操作で付勢されるリレーと、前記リセットスイッチに並列接続された前記リレーにおける第１のメーク接点と、上記電磁開閉弁におけるソレノイドに直列接続された前記リレーにおける第２のメーク接点とを有することを特徴とする請求項１記載の道路舗装機械のガス安全装置。
【発明の詳細な説明】
【技術分野】
【０００１】
本発明は、道路舗装機械のガス安全装置に関するものであり、特に、緊急時に電磁開閉弁を閉状態として加熱装置へのガス供給を遮断したとき、リセットスイッチを操作するまでは電磁開閉弁の閉状態を保持することで安全性を一層向上させるようにした道路舗装機械のガス安全装置に関するものである。
【背景技術】
【０００２】
道路舗装機械は、加熱されたアスファルト混合物を敷き均すスクリードプレートにアスファルト混合物が付着するのを防止するため、スクリードプレートをアスファルト混合物と同温度（１５０〜２００℃程度）に加熱する加熱装置が備えられている。この加熱装置の熱源としてＬＰガスを用いる道路舗装機械では、搭載したＬＰガスボンべから加熱装置へＬＰガスを供給し、該加熱装置でＬＰガスを燃焼させ、その熱風をスクリード装置内に流すことでスクリードプレートを均一に加熱するようにしている。このような加熱装置を備えた道路舗装機械において、稼働時にガスホースが切断したりしてガスが漏れた場合は引火のおそれがあるためガスを至急遮断する必要がある。
【０００３】
これに対し従来、例えば、次のような道路舗装機械の安全装置が知られている。この従来技術は、スクリード装置のスクリードプレートを加熱するガス式の加熱装置を備えた道路舗装機械において、ガスボンべと加熱装置とを接続するガス配管中に電磁開閉弁を設けるとともに、該電磁開閉弁を閉じる非常停止スイッチを運転席の操作盤上やスクリード装置の左右両端等に複数個設け、少なくともいずれかの非常停止スイッチをオフ操作することにより、電磁開閉弁を閉じて加熱装置へのガス供給を遮断できるように構成し、ガス供給を緊急に停止する必要が生じたときに、迅速にガスを遮断できるようにしている（例えば、特許文献１参照）。
【０００４】
また、このような安全装置を備えた道路舗装機械において、緊急時に電磁開閉弁を「開」から「閉」に転じる電気回路系としては、例えば、図２に示すようなものがある。同図において、道路舗装機械の電源１が非常停止スイッチ２ａ，２ｂ，２ｃに接続され、該非常停止スイッチ２ａ，２ｂ，２ｃが、道路舗装機械における適宜の本体機器３と電磁開閉弁４のソレノイドSOLとの並列回路に直列に接続されている。前記非常停止スイッチ２ａ
，２ｂ，２ｃはそれぞれ押しボタンスイッチからなり、図の例では３個の非常停止スイッチ２ａ，２ｂ，２ｃが直列に接続されており、これら３個の非常停止スイッチ２ａ，２ｂ，２ｃは、前述のように運転席の操作盤上やスクリード装置の左右両端等に設置されている。前記電磁開閉弁４は図示しないガスボンべと加熱装置を接続するガス配管５中に設けられ、電源１からソレノイドSOLに通電されているとき「開」となって、加熱装置へのＬ
Ｐガス供給が可能となる。そして、緊急時に３個の非常停止スイッチ２ａ，２ｂ，２ｃのうちの少なくともいずれかをオフ操作することで、電源１からソレノイドSOLへの通電が
断たれて電磁開閉弁４が「閉」に転じ、加熱装置へのＬＰガス供給が迅速に遮断される。
【特許文献１】特開２００７−２１７９９０号公報（第３，４頁、図５）。
【発明の開示】
【発明が解決しようとする課題】
【０００５】
図２に記載の従来の電気回路系においては、緊急時に押しボタンスイッチからなる３個の非常停止スイッチ２ａ，２ｂ，２ｃのうちの少なくともいずれかを押し操作してオフにすることで、電源１からソレノイドSOLへの通電が断たれて電磁開閉弁４が「閉」に転じ
、加熱装置へのＬＰガス供給が迅速に遮断される。しかしながら、押しボタンスイッチからなる非常停止スイッチ２ａ，２ｂ，２ｃは、一旦押し操作してオフにした後、押し操作
を解除すると自動復帰してオン状態となる。このため、加熱装置におけるバーナーの火に立ち消え等が生じた後、所要の処置が施されないうちに押し操作した非常停止スイッチがオン状態に復帰すると再びガス漏れを生じさせるおそれがある。
【０００６】
そこで、緊急時に非常停止スイッチの操作により電磁開閉弁を閉状態として加熱装置へのガス供給を遮断したとき、リセットスイッチを操作するまでは電磁開閉弁の閉状態を保持することで安全性を一層向上させるために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、スクリードプレートを加熱するガス式の加熱装置を備え、該加熱装置へガスを供給するガス配管中に電磁開閉弁を設けるとともに緊急時に非常停止スイッチの操作により前記電磁開閉弁を閉じて前記加熱装置へのガス供給を遮断するようにした道路舗装機械のガス安全装置において、前記非常停止スイッチの非操作時には前記電磁開閉弁におけるソレノイドへの通電状態を保持して該電磁開閉弁を開状態とするように作動し、前記非常停止スイッチの操作時には前記電磁開閉弁におけるソレノイドへの通電を解除して該電磁開閉弁を閉状態に転じさせ、リセットスイッチを操作するまで該閉状態を保持する自己保持回路を設けた道路舗装機械のガス安全装置を提供する。
【０００８】
この構成によれば、自己保持回路は、非常停止スイッチが非操作時の自己保持状態において、電磁開閉弁におけるソレノイドへの通電状態を保持して電磁開閉弁を開状態とし、加熱装置へのガス供給を可能とする。この状態において、緊急時に非常停止スイッチがオフ操作されると、自己保持回路は、前記自己保持状態が外れて電磁開閉弁におけるソレノイドへの通電を解除し、電磁開閉弁を閉状態に転じさせて加熱装置へのガス供給を遮断する。そして、加熱装置側等において所要の処置が施された後、リセットスイッチがオン操作されると自己保持回路の自己保持が回復し、再び加熱装置へのガス供給が可能となる。
【０００９】
請求項２記載の発明は、請求項１記載の発明において、上記自己保持回路は、上記非常停止スイッチの非操作時に上記リセットスイッチのオン操作で付勢されるリレーと、前記リセットスイッチに並列接続された前記リレーにおける第１のメーク接点と、上記電磁開閉弁におけるソレノイドに直列接続された前記リレーにおける第２のメーク接点とを有する道路舗装機械のガス安全装置を提供する。
【００１０】
この構成によれば、自己保持回路は、非常停止スイッチの非操作時にリセットスイッチのオン操作でリレーに電源電圧が通じて付勢され、第１のメーク接点がオンとなって自己保持される。また、これと同時にリレーの付勢により第２のメーク接点もオンとなって電磁開閉弁におけるソレノイドに電源電圧が通じ、電磁開閉弁が開状態となって加熱装置へのガス供給が可能となる。この状態において、緊急時に非常停止ボタンが押されてボタンの接点がオフになると、リレーが消勢されて第１のメーク接点がオフとなり、自己保持回路の自己保持が外れて第２のメーク接点もオフとなる。この結果、電磁開閉弁は閉状態となって加熱装置へのガス供給が遮断される。そして、このガス供給の遮断状態は、非常停止スイッチが非操作の状態となって、リセットスイッチがオン操作され、リレーが再び付勢されて自己保持回路の自己保持が回復するまで続く。
【発明の効果】
【００１１】
請求項１記載の発明は、電磁開閉弁が開いて加熱装置へのガス供給が行われている状態で緊急時に非常停止スイッチがオフ操作されると、自己保持回路の自己保持が外れて電磁開閉弁におけるソレノイドへの通電が解除され、電磁開閉弁が閉状態となって加熱装置へのガス供給が遮断される。このとき、リセットスイッチをオン操作するまでは自己保持回
路の自己保持は外れたままで電磁開閉弁は閉状態に保持されることから安全性を一層向上させることができるという利点がある。
【００１２】
請求項２記載の発明は、緊急時に非常停止スイッチがオフ操作されると、リレーが消勢されて第１のメーク接点がオフとなり、自己保持回路の自己保持が外れて第２のメーク接点もオフとなり電磁開閉弁は閉状態となる。このとき、リセットスイッチをオン操作するまではリレーは消勢されたままで第１のメーク接点はオフとなって自己保持回路の自己保持は外れたままとなる。したがって、非常停止スイッチの操作時に電磁開閉弁におけるソレノイドへの通電を解除して該電磁開閉弁を閉状態に転じさせ、リセットスイッチを操作するまで該閉状態を保持するという自己保持回路をよりよく構成することができるという利点がある。
【発明を実施するための最良の形態】
【００１３】
緊急時に非常停止スイッチの操作により電磁開閉弁を閉状態として加熱装置へのガス供給を遮断したとき、リセットスイッチを操作するまでは電磁開閉弁の閉状態を保持することで安全性を一層向上させるという目的を達成するために、スクリードプレートを加熱するガス式の加熱装置を備え、該加熱装置へガスを供給するガス配管中に電磁開閉弁を設けるとともに緊急時に非常停止スイッチの操作により前記電磁開閉弁を閉じて前記加熱装置へのガス供給を遮断するようにした道路舗装機械のガス安全装置において、前記非常停止スイッチの非操作時には前記電磁開閉弁におけるソレノイドへの通電状態を保持して該電磁開閉弁を開状態とするように作動し、前記非常停止スイッチの操作時には前記電磁開閉弁におけるソレノイドへの通電を解除して該電磁開閉弁を閉状態に転じさせ、リセットスイッチを操作するまで該閉状態を保持する自己保持回路を設けることにより実現した。
【実施例１】
【００１４】
以下、本発明の実施例に係る道路舗装機械のガス安全装置を図面に従って詳述する。図１は本実施例に係る道路舗装機械のガス安全装置の回路図である。なお、図１において前記図２における構成要素と同一ないし均等のものは、前記と同一符号を以って示し、重複した説明を省略する。まず、本実施例に係る道路舗装機械のガス安全装置の構成を説明する。
【００１５】
図１において、ガスボンべ６と加熱装置７とを接続するガス配管５中に電磁開閉弁４が設けられている。また、ガスボンべ６と電磁開閉弁４との間のガス配管５中及び電磁開閉弁４と加熱装置７との間のガス配管５中には、加熱装置７へのＬＰガスの供給・遮断を手動で操作するための手動開閉弁８ａ，８ｂがそれぞれ設けられている。
【００１６】
そして、本実施例では、緊急時に非常停止スイッチ２ａ，２ｂ，２ｃの操作により電磁開閉弁４を閉状態として加熱装置７へのガス供給を遮断する電気回路中に、自己保持回路９が設けられている。該自己保持回路９は、非常停止スイッチ２ａ，２ｂ，２ｃに直列接続されたリレーＲと、リレーＲに直列接続された該リレーＲにおける第１のメーク接点Ｒａ１と、該第１のメーク接点Ｒａ１に並列接続されたリセットスイッチ１０と、ソレノイドSOLに直列接続された前記リレーＲにおける第２のメーク接点Ｒａ２とで構成されてい
る。前記リレーＲは、非常停止スイッチ２ａ，２ｂ，２ｃの非操作時にリセットスイッチ１０のオン操作で付勢されて前記第１のメーク接点Ｒａ１及び前記第２のメーク接点Ｒａ２を共にオン状態に設定する。
【００１７】
次に、上述のように構成された道路舗装機械のガス安全装置の作用を説明する。自己保持回路９は、非常停止スイッチ２ａ，２ｂ，２ｃの非操作時にリセットスイッチ１０をオン操作してリセット状態を解除することで、非常停止スイッチ２ａ，２ｂ，２ｃ及びリセットスイッチ１０を介して電源１から所要の電流が流れて付勢され、第１のメーク接点Ｒ
ａ１がオンとなって自己保持される。また、これと同時にリレーＲの付勢によって第２のメーク接点Ｒａ２もオンとなり電磁開閉弁４におけるソレノイドSOLに電源１が通じて所
要の電流が流れ、電磁開閉弁４は開状態となる。この電磁開閉弁４の開状態において手動開閉弁８ａ，８ｂをそれぞれ開操作することで、加熱装置７へのＬＰガスの供給が行われる。
【００１８】
この加熱装置７の稼働状態において、該加熱装置７におけるガスホースが切断したりして、緊急時に非常停止スイッチ２ａ，２ｂ，２ｃの少なくともいずれかがオフ操作されると、リレーＲが消勢されて第１のメーク接点Ｒａ１がオフとなり、自己保持回路９の自己保持が外れて第２のメーク接点Ｒａ２もオフとなる。この結果、電磁開閉弁４は閉状態となって加熱装置７へのガス供給が遮断される。
【００１９】
そして、オフ操作された非常停止スイッチがオンに復帰しても、第１のメーク接点Ｒａ１及びリセットスイッチ１０は、いずれも開いた状態となっているのでリレーＲが付勢されることはなく、自己保持回路９の自己保持は外れたままとなって加熱装置７へのガス供給は、そのまま遮断状態となる。
【００２０】
この加熱装置７へのガス供給が遮断されている状態で、加熱装置側等において所要の処置が施された後、リセットスイッチ１０がオン操作されるとリレーＲが付勢されて前記と同様に第１のメーク接点Ｒａ１がオンとなって自己保持回路９の自己保持が回復し、第２のメーク接点Ｒａ２もオンとなって電磁開閉弁４が開状態となり、再び加熱装置７へのガス供給が可能となる。
【００２１】
上述したように、本実施例に係る道路舗装機械のガス安全装置においては、緊急時に非常停止スイッチ２ａ，２ｂ，２ｃがオフ操作されて、電磁開閉弁４が閉状態となり加熱装置７へのガス供給が遮断されているとき、リセットスイッチ１０をオン操作するまでは自己保持回路９の自己保持は外れたままで電磁開閉弁４は閉状態に保持されることから安全性を一層向上させることができる。
【００２２】
なお、本発明は、本発明の精神を逸脱しない限り種々の改変をなすことができ、そして、本発明が該改変されたものにも及ぶことは当然である。
【図面の簡単な説明】
【００２３】
【図１】本発明の実施例に係る道路舗装機械のガス安全装置の回路図。
【図２】従来の道路舗装機械の安全装置の回路図。
【符号の説明】
【００２４】
１                電源
２ａ，２ｂ，２ｃ  非常停止スイッチ
３                本体機器
４                電磁開閉弁
５                ガス配管
６                ガスボンべ
７                加熱装置
８ａ，８ｂ        手動開閉弁
９                自己保持回路
１０                リセットスイッチ
Ｒ                リレー
Ｒａ１            第１のメーク接点
Ｒａ２            第２のメーク接点
SOL              ソレノイド
【図１】
2010121397.tif 000003
【図２】
2010121397.tif 000004